(57)【要約】【課題】燃料電池セルスタックの集電部材において、セル間距離の変動及び軸方向の伸縮に対して追従でき、かつ反応ガスを十分に供給できる構造とする。【解決手段】平坦側面を具備する柱状の燃料電池セルを複数個配列させ、集電部材により接続した燃料電池セルスタックにおいて、集電部材が、隣り合う第１と第２の燃料電池セル間に延在する第１〜第４の導電体片の端部を順次連結して一繋がりに形成され、第１の導電体片が第１の燃料電池セルに当接する第１平行部を、第２の導電体片が第１の燃料電池セルの一端から第２の燃料電池セルの他端へと延在する第１傾斜部を、第３の導電体片が第２の燃料電池セルに当接する第２平行部を、第４の導電体片が第２の燃料電池セルの一端から第１の燃料電池セルの一端へと延在する第２傾斜部をそれぞれ具備する。【選択図】図１Ａ
2007227203.tif 000002
【特許請求の範囲】
【請求項１】
対向する一対の平坦側面を具備する柱状の固体電解質形燃料電池セルを複数個配列させ、隣り合う前記燃料電池セル間を集電部材により電気的に接続した燃料電池セルスタックにおいて、
前記集電部材が、隣り合う第１と第２の燃料電池セル間において、略幅方向に各々延在する第１〜第４の導電体片を軸方向に沿って繰り返し並置しかつ各導電体片の端部を順次連結して一繋がりに形成されており、
前記第１の導電体片が前記第１の燃料電池セルの前記平坦側面に当接して延在する第１平行部を具備し、
前記第２の導電体片が前記第１の燃料電池セルの一端から前記第２の燃料電池セルの他端へと延在する第１傾斜部を具備し、
前記第３の導電体片が前記第２の燃料電池セルの前記平坦側面に当接して延在する第２平行部を具備し、かつ
前記第４の導電体片が前記第２の燃料電池セルの一端から前記第１の燃料電池セルの一端へと延在する第２傾斜部を具備することを特徴とする燃料電池セルスタック。
【請求項２】
前記集電部材における前記第１傾斜部及び前記第２傾斜部の途上に１または複数の屈曲部または湾曲部を具備することを特徴とする、請求項１に記載の燃料電池セルスタック。
【請求項３】
前記集電部材における前記第１〜第４の導電体片の各々の端部が、前記燃料電池セルの幅方向の両端部に対してそれぞれ当接可能なセル保持部を具備することを特徴とする請求項１または２に記載の燃料電池セルスタック。
【請求項４】
前記集電部材における前記セル保持部の先端に、前記燃料電池セルに対して外方に突出するリブを具備することを特徴とする請求項３に記載の燃料電池セルスタック。
【請求項５】
前記燃料電池セルの幅方向の両端部において、隣り合う前記集電部材の前記リブ同士を接続固定する固定材をさらに設けたことを特徴とする請求項４に記載の燃料電池セルスタック。
【請求項６】
対向する一対の平坦側面を具備する柱状の固体電解質形燃料電池セルを複数個配列させた燃料電池セルスタックにおいて隣り合う燃料電池セル間を電気的に接続する集電部材であって、
隣り合う第１と第２の燃料電池セル間において、略幅方向に各々延在する第１〜第４の導電体片を、軸方向に沿って繰り返し並置しかつ各導電体片の端部を順次連結して一繋がりに形成されており、
前記第１の導電体片が前記第１の燃料電池セルの前記平坦側面に当接して延在する第１平行部を具備し、
前記第２の導電体片が前記第１の燃料電池セルの一端から前記第２の燃料電池セルの他端へと延在する第１傾斜部を具備し、
前記第３の導電体片が前記第２の燃料電池セルの前記平坦側面に当接して延在する第２平行部を具備し、かつ
前記第４の導電体片が前記第２の燃料電池セルの一端から前記第１の燃料電池セルの一端へと延在する第２傾斜部を具備することを特徴とする特徴とする燃料電池セルスタックにおける集電部材。
【発明の詳細な説明】
【技術分野】
【０００１】
本発明は、固体電解質形燃料電池セルを複数配列させた燃料電池セルスタックと、その燃料電池セル間を電気的に接続する集電部材に関する。
【背景技術】
【０００２】
固体電解質形燃料電池の典型例においては、収容ケース内に燃料電池セルスタックが配設されている。燃料電池セルスタックは、複数の燃料電池セルを一列に配列させ隣り合う燃料電池セル同士の間に集電部材を設けることにより燃料電池セル同士を電気的に接続している。
当初の集電部材は、比較的剛性のある構造であったが、燃料電池セルの熱応力等による反り変形に対する追従性がなく集電部材と燃料電池セルとの接着部が剥離しやすかったため、弾性を有する比較的柔軟な構造の集電部材が用いられるようになった。
【０００３】
図４は、柔軟な構造をもつ集電部材の幾つかの従来例を示す平面図である。図４では、２つの燃料電池セル３０の間に従来の集電部材１０１〜１０３が挿入設置された状態を示している。概略的に示す燃料電池セル３０は、対向する一対の平坦側面を具備する柱状であり、ガス透過性のある導電性支持体３２の内部に軸方向に沿って複数の反応ガス通路３１が穿設されている。反応ガス通路３１には第１の反応ガスが供給される。
図示しないが、導電性支持体３２の一方の平坦側面上には内側電極、固体電解質、外側電極が順次積層され、他方の平坦側面上には、導電性セラミックスからなるインターコネクタ（内側電極と導通）が積層されている。従って、集電部材１０１〜１０３は、一方の燃料電池セル３０の外側電極及び他方の燃料電池セル３０のインターコネクタに対して電気的に接触している。通常、集電部材と各燃料電池セルの平坦側面の間を導電性接着剤で接着することにより固着強度を高めると共に電気抵抗を低減している。なお、燃料電池セル３０の外側電極に対しては、その周囲から第２の反応ガスが供給される。従って、集電部材は、燃料電池セルに対する第２の反応ガスの流れを妨げない構造とする必要がある。
【０００４】
図４(ａ)は、燃料電池セル３０の軸方向に垂直な断面がＵ字形の集電部材１０１を示す図である。断面Ｕ字形の集電部材は弾性を有するため、熱変形等による燃料電池セル間の距離の変動に対する追従性は良好であり、それによる接着部の応力発生は低減された。しかしながら、燃料電池セルの軸方向の伸縮に対する追従性は劣るために、軸方向についての応力低減効果は十分ではなかった。
【０００５】
図４(ｂ)は、同じく断面がＺ字形の集電部材１０２を示す図である。断面Ｚ字形の集電部材もまた弾性を有しており、燃料電池セル間の距離変動及び軸方向の伸縮の双方に対して集電部材にかかる応力を低減する効果がある。しかしながら、Ｚ字形は、燃料電池セルの幅方向において非対称な形状であるため、燃料電池セル間の距離が広くなると集電部材が軸周りに回転するようにずれやすい。その結果、接着強度の低下や剥離を生じていた。
【０００６】
さらに、集電部材におけるＵ字形やＺ字形の構造の欠点は、曲げ加工の仕上がりすなわち曲げ角度にバラツキがあるために、平行であるべき部位（燃料電池セルの平坦側面に対して当接する部位）が平行とならない場合がある点である。そのような集電部材を燃料電池セル間に挿入して燃料電池セルスタックの両端に固定のための圧力を負荷しても、集電部材が十分に弾性変形しない。その結果、集電部材と燃料電池セルとの密着性が損なわれる。
【０００７】
図４(ｃ１)は、さらに別の柔軟な構造の集電部材１０３を示す図である。図４(ｃ２)は、その部分斜視図である。集電部材１０３は、断面が平坦な筒形状であり両端部１１３ａ、１１３ｂが接合された形状であるが、平坦な側面は、２枚の帯状片１１１、１１２が交互に突出して、それぞれが燃料電池セル３０の平坦側面に当接する。
【０００８】
特許文献１に開示された導電性の相互接続部材は、所定の間隔を空けた複数の面部材を燃料電池セル面に平行となるように２つのセル間に配置しており、各面部材に突出部分と窪み部分を加工することで通気性を確保している。
特許文献２に開示された集電部材は、燃料電池セルの軸方向と平行に延びる１つの帯状体を中央に配置し、その両側長辺から複数の断面略Ｕ字状の集電片がセルの幅方向端部へ向かって突出した形態である。
【特許文献１】特表２００４−５０２２８１号公報
【特許文献２】特開２００３−２９７３９６号公報
【発明の開示】
【発明が解決しようとする課題】
【０００９】
図４(ｃ１)及び(ｃ２)に示した集電部材１０３は、その中央部分は十分な弾性があり追従性が良好であるが、両端が軸方向において完全に接合されているために軸方向の伸縮性が阻害される。
特許文献１の相互接続部材は、面部材に突出と窪みを設けた３次元構造であるため剛性部材に近く、セル間の距離変動及び軸方向の伸縮のいずれについても追従性に劣ると考えられる。
特許文献２の集電部材も、軸方向に背骨のような帯状体が存在するために軸方向の伸縮性が阻害される。
【００１０】
以上の現状に鑑み本発明は、燃料電池セルスタックの隣り合う燃料電池セル間に設ける集電部材において、熱応力等によるセル間距離の変動及びセルの軸方向の伸縮に対して十分に追従できる柔軟性を有し、かつセル上に設けた外側電極へ反応ガスを十分に供給できる構造とすることを目的とする。
【課題を解決するための手段】
【００１１】
上記の目的を達成するために本発明は、以下の構成を提供する。
（１）請求項１に係る燃料電池セルスタックは、対向する一対の平坦側面を具備する柱状の固体電解質形燃料電池セルを複数個配列させ、隣り合う前記燃料電池セル間を集電部材により電気的に接続した燃料電池セルスタックにおいて、
前記集電部材が、隣り合う第１と第２の燃料電池セル間において、略幅方向に各々延在する第１〜第４の導電体片を軸方向に沿って繰り返し並置しかつ各導電体片の端部を順次連結して一繋がりに形成されており、
前記第１の導電体片が前記第１の燃料電池セルの前記平坦側面に当接して延在する第１平行部を具備し、
前記第２の導電体片が前記第１の燃料電池セルの一端から前記第２の燃料電池セルの他端へと延在する第１傾斜部を具備し、
前記第３の導電体片が前記第２の燃料電池セルの前記平坦側面に当接して延在する第２平行部を具備し、かつ
前記第４の導電体片が前記第２の燃料電池セルの一端から前記第１の燃料電池セルの一端へと延在する第２傾斜部を具備することを特徴とする。
（２）請求項２に係る燃料電池セルスタックは、請求項１において、前記集電部材における前記第１傾斜部及び前記第２傾斜部の途上に１または複数の屈曲部または湾曲部を具備することを特徴とする。
（３）請求項３に係る燃料電池セルスタックは、請求項１または２において、前記集電部材における前記第１〜第４の導電体片の各々の端部が、前記燃料電池セルの幅方向の両端部に対してそれぞれ当接可能なセル保持部を具備することを特徴とする。
（４）請求項４に係る燃料電池セルスタックは、請求項３において、前記集電部材における前記セル保持部の先端に、前記燃料電池セルに対して外方に突出するリブを具備することを特徴とする。
（５）請求項５に係る燃料電池セルスタックは、請求項４において、前記燃料電池セルの幅方向の両端部において、隣り合う前記集電部材の前記リブ同士を接続固定する固定材をさらに設けたことを特徴とする。
（６）請求項６に係る燃料電池セルスタックの集電部材は、対向する一対の平坦側面を具備する柱状の固体電解質形燃料電池セルを複数個配列させた燃料電池セルスタックにおいて隣り合う燃料電池セル間を電気的に接続する集電部材であって、
隣り合う第１と第２の燃料電池セル間において、略幅方向に各々延在する第１〜第４の導電体片を、軸方向に沿って繰り返し並置しかつ各導電体片の端部を順次連結して一繋がりに形成されており、
前記第１の導電体片が前記第１の燃料電池セルの前記平坦側面に当接して延在する第１平行部を具備し、
前記第２の導電体片が前記第１の燃料電池セルの一端から前記第２の燃料電池セルの他端へと延在する第１傾斜部を具備し、
前記第３の導電体片が前記第２の燃料電池セルの前記平坦側面に当接して延在する第２平行部を具備し、かつ
前記第４の導電体片が前記第２の燃料電池セルの一端から前記第１の燃料電池セルの一端へと延在する第２傾斜部を具備することを特徴とする。
【発明の効果】
【００１２】
請求項１では、燃料電池セルスタックにおける集電部材が、略幅方向にそれぞれ延びる４つの導電体片を軸方向に繰り返し並置し、各端部を順次連結して軸方向に一繋がりとした形態である。この集電部材には、軸方向全体に亘って全ての導電体片を同時に接合する部分はなく、各導電体片は順番に端部同士を接続されて一繋がりとされている。つまり、大まかに表現すれば、集電部材全体が１本の線状部材であるともいえ、その線状部材が燃料電池セルの幅方向に沿って往復を繰り返しつつ蛇行して軸方向に延びていくことにより、いわゆる九十九折れのような形態となっている。斯かる集電部材は、軸方向全体を一体的に接合する部分（例えば図４(ｃ１)、特許文献２の形態）がないために軸方向への動きが強固に束縛されることがない。従って、燃料電池セルの熱応力等による軸方向の伸縮に対して非常に良好な追従性を有する。
【００１３】
さらに、４つの導電体片は、第１の燃料電池セルに当接する第１平行部をもつ第１片と、第１の燃料電池セルの一端から第２の燃料電池セルの他端へ移行する第１傾斜部をもつ第２片と、第２の燃料電池セルに当接する第２平行部をもつ第３片と、第２の燃料電池セルの一端から第１の燃料電池セルの他端へ移行する第２傾斜部をもつ第４片とからなり、この順で繰り返し連結される。従って、第１平行部と第２平行部により、燃料電池セル上の外側電極との電気的接続が確保される一方、第１傾斜部と第２傾斜部により、燃料電池セル間の距離変動に対する良好な追従性が確保される。同時に第１傾斜部と第２傾斜部は燃料電池セルの平坦側面に対して当接しないため、反応ガスの通気性も確保される。
【００１４】
特に、第１傾斜部と第２傾斜部とは、軸方向から見てＸ字状であり、対称であるため、前述の従来技術におけるＺ字状の場合と比べて、軸周りに回転する傾向がないため、第１平行部と第２平行部は、常に燃料電池セルの平坦側面との平行状態を確保でき、剥離を生じない。また、上記の４つの導電体片が繰り返し連結されることにより第１傾斜部と第２傾斜部とが互い違いに複数個軸方向に沿って存在することになるため、個々の導電体片の曲げ加工にバラツキがあっても全体として緩和され、問題を生じない。
【００１５】
また、第１傾斜部と第２傾斜部とは、軸方向から見てＸ字状であり、幅方向の両側が開いた形状であるので通気性がよく、周囲に供給される反応ガスを効率的に流通させることができる。
【００１６】
請求項２では、第１傾斜部及び第２傾斜部の途上に１または複数の屈曲部または湾曲部を設けることにより、これらの部分の柔軟性が増して燃料電池セル間の距離変動及び軸方向の伸縮に対してさらに追従性が向上する。
【００１７】
請求項３では、導電体片の各々の端部に設けたセル保持部が、燃料電池セルの幅方向の両端部に対して当接可能であるため、集電部材の各導電体片が燃料電池セルを両側から挟み込むような形で接合される結果、集電部材と燃料電池セルとの固着強度が向上する。
【００１８】
請求項４では、セル保持部の先端にリブを設けたことにより、集電部材を燃料電池セルスタックに組み込んだ場合に、各燃料電池セルの両端部において隣同士の集電部材のリブが比較的近傍で向き合うこととなる。従って、請求項５のように、これらの向き合ったリブ同士を適宜の固定材で接続固定すれば、燃料電池セルスタックの全ての集電部材と燃料電池セルが一体化され、固着強度が格段に向上する。この結果、燃料電池セルと集電部材の電気的接続も良好となるため、発電の出力低下を回避でき、長期安定性が向上する。
【００１９】
請求項６に記載の集電部材は、上記請求項１の燃料電池セルスタックに用いられることにより、上記の通りの効果を奏する。
【発明を実施するための最良の形態】
【００２０】
図１Ａは、本発明による固体酸化物形燃料電池セルスタックの一部のみを示す概略平面図であり、隣り合う２つの燃料電池セル３０とその間に設けられた集電部材１０の一実施形態を示している。図１Ｂは、図１Ａに示した集電部材１０の部分斜視図である。
【００２１】
概略的に示す燃料電池セル３０は、対向する一対の平坦側面３０ａ、３０ｂを具備する扁平な柱状である。図１Ａの紙面に垂直な方向が燃料電池セル３０の軸方向であり、図１Ａの左右方向を燃料電池セル３０の幅方向とする。ガス透過性のある導電性支持体３２の内部には、軸方向に沿って複数の反応ガス通路３１が穿設されている。反応ガス通路３１には第１の反応ガス（例えば水素リッチな燃料ガス）が供給される。
【００２２】
図示しないが、導電性支持体３２の一方の平坦側面３０ａ上には内側電極、固体電解質、外側電極の薄膜層が順次積層され、他方の平坦側面３０ｂ上には、導電性セラミックスからなるインターコネクタ（内側電極と導通）の薄膜層が積層されている。燃料電池セルスタックは、複数の燃料電池セル３０を一列に配列させて構成され、図１の上下方向がセルの配列方向となる。隣り合う２つの燃料電池セル間において集電部材１０は、一方の燃料電池セルの平坦側面３０ａ上の外側電極と、他方の燃料電池セルの平坦側面３０ｂ上のインターコネクタに対して電気的に接触している。
【００２３】
燃料電池セルスタックの中の隣り合う任意の２つの燃料電池セルを、説明の便宜上、第１燃料電池セル（または単に「第１セル」）及び第２燃料電池セル（または単に「第２セル」）と称することとする。図１Ａにおいて、集電部材１０は、第１セルの平坦側面に当接する第１導電体片と、第１セルの一方の端部から第２セルの他方の端部へと傾斜して延びる第２導電体片と、第２セルの平坦側面に当接する第３導電体片と、第２セルの一方の端部から第１セルの他方の端部へと傾斜して延びる第４導電体片とを基本要素として具備する。第１〜第４の導電体片はこの順序で端部同士を次々に連結されており、さらにこの順序で繰り返し導電体片が連結されることにより、軸方向に延在する一繋がりの集電部材を形成している。
【００２４】
図１Ｂに示す集電部材１０の部分斜視図では、１つの基本要素である第１〜第４の導電体片１１〜１４を実線で示し、両隣りの別の基本要素の一部を破線で示している。集電部材１０の軸方向と幅方向は、燃料電池セルに合わせて図示の通りとする。集電部材１０の各導電体片の連結形態は次の通りである。
【００２５】
第１導電体片１１は、第１セルの平坦側面と平行に幅方向に延在する帯片から形成される。この第１導電体片１１の帯片の外側面（図では上面）が第１セルのインターコネクタと電気的に接触する。第１導電体片１１の右端部と第２導電体片１２の右端部とは、連結部２１で連結されている。
【００２６】
第２導電体片１２は、第１セルの右端部から第２セルの左端部へと傾斜して延びる帯片から形成される。この第２導電体片１２の帯片の途上には２箇所において屈曲部１２ｃ、１２ｄが形成されている。これらの屈曲部によりさらに柔軟な構造となる。第２導電体片１２の左端部と第３導電体片１３の左端部とは、連結部２２で連結されている。
【００２７】
第３導電体片１３は、第２セルの平坦側面と平行に幅方向に延在する帯片から形成される。この第３導電体片１３の帯片の外側面（図では下面）が第２セルの外側電極と電気的に接触する。第３導電体片１３の右端部と第４導電体片１４の右端部とは、連結部２３で連結されている。
【００２８】
第４導電体片１４は、第２セルの右端部から第１セルの左端部へと傾斜して延びる帯片から形成される。この第４導電体片１４の帯片の途上にも、第２導電体片１２と同様に２つの屈曲部が形成されている。第４導電体片１４の左端部は、隣の基本要素の第１導電体片の左端部と連結される。
【００２９】
図１Ｂを参照すると、各導電体片１１〜１４の端部には、第１セルの幅方向の両端部に当接可能な形状のセル保持部１５ａ、１５ｂ、または第２セルの幅方向の両端部に当接可能な形状のセル保持部１７ａ、１７ｂが設けられている。各セル保持部１５ａ、１５ｂ及び１７ａ、１７ｂは、各連結部２１〜２４の外縁からそれぞれ連続して形成され、図示の例では、各燃料電池セルの両端部の曲面に沿った曲面形状とされている。各セル保持部は、燃料電池セルの両端部の少なくとも一部に当接可能であればよい。これらのセル保持部１５ａ、１５ｂ及び１７ａ、１７ｂは、燃料電池セルを両側から挟み込むように保持している。
【００３０】
さらに、セル保持部１５ａ、１５ｂの先端には、燃料電池セルに対してそれぞれ外方に突出するリブ１６ａ、１６ｂが設けられる。同様に、セル保持部１７ａ、１７ｂの先端には、リブ１８ａ、１８ｂが設けられる。これらのリブの利用形態については、図３において後述する。
【００３１】
図１Ｃは、本発明における集電部材１０の基本要素の形態を模式的に示した平面図である。集電部材１０は、上記の通り第１〜第４の導電体片１１〜１４を基本要素として軸方向に繰り返し並置し、各端部を順次連結して軸方向に一繋がりとした形態である。大まかに表現すれば、図１Ｃに示すように、集電部材全体が１本の線状部材であるともいえ、その線状部材が燃料電池セルの幅方向に沿って往復を繰り返しつつ蛇行して（図中矢印参照）軸方向に延びていくことにより、いわゆる九十九折れのような形態を形成している。
第１導電体片１１は、第１セルの平坦側面に当接して幅方向に延びる第１平行部１１ａを具備し、第２導電体片１２は、第１セルの右端部から第２セルの左端部へと傾斜する第１傾斜部１２ａを具備し、第３導電体片は、第２セルの平坦側面に当接して幅方向に延びる第２平行部１３ａを具備し、そして第４導電体片１４は、第２セルの右端部から第１セルの左端部へと傾斜する第２傾斜部１４ａを具備する。
【００３２】
第１傾斜部１２ａと第２傾斜部１４ａとは互いに逆向きに傾斜しているため、平面図ではＸ字状に見える。このように２つの傾斜部が互いに逆向きであるため、左右対称の構造となる。これにより、集電部材全体としての軸周りの回転が阻止され、第１平行部１１ａ及び第２平行部１３ａが各セルの平坦側面との平行状態を維持できる。また、幅方向の両端が開いたＸ字状であるので、周囲に供給される第２の反応ガス（例えば酸素含有ガス）の良好な流通を確保できる。
【００３３】
なお、上記の集電部材１０の基本要素の連結は、軸方向において繰り返されるが、軸方向の端部においては基本要素の中の一部のみで終端してもよい。つまり、必ず第１導電体片１１から開始され、第４導電体片１４で終端する必要はなく、第２導電体片１２または第３導電体片１３から開始されたり、終端したりしてもよい。
【００３４】
また、各導電体片の形状は図示のような帯状が好適であるが、その帯幅及び厚さは適宜決定され、各導電体片の帯幅が必ずしも等しくなくともよい。さらに、軸方向の場所によって各導電体片の帯幅を変えてもよい。傾斜部の帯幅を狭くするとより柔軟な構造となる。また、傾斜部の帯幅を広くすると燃料電池セルの外側電極の露出面が広くなり通気性がよくなる。一方、平行部の帯幅を広すると電気抵抗を低減できる。
【００３５】
図２Ａは、図１Ａと同様の本発明による燃料電池セルスタックの一部のみを示す概略平面図であり、集電部材１０の別の実施形態を示している。図２Ｂは、図２Ａに示した集電部材１０の部分斜視図である。
【００３６】
図２Ａ及ぶ図２Ｂに示した集電部材１０の形態は、図１Ａに示した形態とほぼ同じであり、第１〜第４の導電体片１１〜１４を一繋がりに連結した基本構成を有する。図１Ａの形態との相違点は、第２導電体片１２及び第４導電体片１４の各々の傾斜部の途上に、２箇所の湾曲部１２ｃ、１２ｄを設けている点である。これらの湾曲部によりさらに柔軟な構造となる。
【００３７】
図３Ａは、図１Ａに示した集電部材１０における先端のリブ１６ａ、１６ｂ及び１８ａ、１８ｂの利用形態（図２Ａの形態についても同様）を示す、燃料電池セルスタックの概略平面図である。図３Ａのように燃料電池セルスタックを組み立てた場合、１つの燃料電池セル３０の一対の平坦側面に対して電気的に接続される２つの集電部材１０のそれぞれのリブ１６ａと１８ａ、及びリブ１６ｂと１８ｂが、その燃料電池セルの両端部において互いに近傍に位置することになる。好適には、リブ同士が互いに向き合うように位置する。そこで、燃料電池セル３０の両端部において、リブ１６ａと１８ａ同士、そしてリブ１６ｂと１８ｂ同士を適宜の固定材２６ａ、２６ｂで接続固定することにより、燃料電池セルスタックの全ての集電部材と燃料電池セルとが一体化されることとなり、強固な構造が得られる。固定材としては、磁器またはガラスを用いることができる。
【００３８】
図３Ｂは、図３Ａの燃料電池セルスタックの左側面の一部を示した概略図である。固定材２６ａの付着方法は、図示のように互いに近傍にある一対のリブ１６ａ、１８ａ同士のみをポイント的に接続固定することが好適である。燃料電池セルの両端側面全体に亘って固定材を付着すると、集電部材１０の軸方向の剛性が高くなるおそれがあるため好ましくない。
【図面の簡単な説明】
【００３９】
【図１Ａ】本発明による固体酸化物形燃料電池セルスタックの一部のみを示す概略平面図である。
【図１Ｂ】図１Ａに示した集電部材の部分斜視図である。
【図１Ｃ】本発明における集電部材の基本要素の形態を模式的に示した平面図である。
【図２Ａ】図１Ａと同様の本発明による燃料電池セルスタックの一部のみを示す概略平面図である。
【図２Ｂ】図２Ａに示した集電部材の部分斜視図である。
【図３Ａ】図１Ａに示した集電部材における先端のリブの利用形態を示す、燃料電池セルスタックの概略平面図である。
【図３Ｂ】図３Ａの燃料電池セルスタックの左側面の一部を示した概略図である。
【図４】燃料電池セルスタックの集電部材の従来例を示す図である。
【符号の説明】
【００４０】
１０  集電部材
１１  第１導電体片
１２  第２導電体片
１３  第３導電体片
１４  第４導電体片
１５ａ、１５ｂ、１７ａ、１７ｂ  セル保持部
１６ａ、１６ｂ、１８ａ、１８ｂ  リブ
２６ａ、２６ｂ  固定材
【図１Ａ】
2007227203.tif 000003
【図１Ｂ】
2007227203.tif 000004
【図１Ｃ】
2007227203.tif 000005
【図２Ａ】
2007227203.tif 000006
【図２Ｂ】
2007227203.tif 000007
【図３Ａ】
2007227203.tif 000008
【図３Ｂ】
2007227203.tif 000009
【図４】
2007227203.tif 000010